【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】  生検鉗子と、組織の光学的生検と組織病理的分析のための電気光学的診断装置とを具備するシステムであって、
生検鉗子が、
貫通する第１の内腔を有する可撓性の外側管状部材であって、基端部から末端部まで延びかつ内視鏡の作動通路に挿入されるようになっている、可撓性の外側管状部材と、
外側管状部材の末端部の近く取付けられ生検切断運動で選択的に開きまた閉じる切断顎であって、第１の内腔と同軸に整列された閉じた切断位置を有するよう取付けられている切断顎と、
貫通する第２の内腔を有する内側管状部材であって、外側管状部材の第１の内腔を通って延び切断顎を開きまた閉じる作用をするよう連結されている、内側管状部材と、
内側管状部材の第２の内腔の内部に取外し自在に配置された光ファイバーであって、基端部から末端部まで延びかつその基端部が電気光学的組織病理診断装置に接続するようになっている光ファイバーと、
外側管状部材と内側管状部材との基端部に連結されたアクチュエータ機構であって、内側管状部材と関連作動するよう連結されている、アクチュエータ機構と、
第２の内腔に連通するよう連結された接近ポート、
とを具備し、
電気光学的診断装置が
光ファイバーに接続された光線の源であって、光ファイバーの基端部に入る光線を供給する光源と、
生検鉗子に連結された診断部材であって、光ファイバーの末端部に入る反射した照射線を分析し組織の診断を行う診断部材
とを具備している、
生検鉗子と電気光学的診断装置とを具備するシステム。
【請求項２】  内側管状部材が、内側管状部材の軸方向運動により少なくとも１つの固定された枢軸ピンの周りの切断顎の半径方向の運動を生じるようになっている請求項１に記載のシステム。
【請求項３】  生検鉗子であって、
貫通する第１の内腔を有する可撓性の外側管状部材であって、基端部から末端部まで延びかつ内視鏡の作動通路に挿入するようになっている、外側管状部材と、
外側管状部材の末端部の近くに取付けられ生検切断運動で選択的に開きまた閉じる切断顎であって、第１の内腔と同軸に整列された閉じた切断位置を有するよう取付けられている、切断顎と、
貫通する第２の内腔を有する内側管状部材であって、外側管状部材の第１の内腔を通って延び切断顎を開きまた閉じる作用をするよう連結されている、内側管状部材と、
内側管状部材の第２の内腔の内部に取外し自在に配置され基端部から末端部まで延びその基端部が分光光度式組織分析装置に接続するようになっている光ファイバーと、
外側管状部材と内側管状部材との基端部に連結されたアクチュエータ機構であって、内側管状部材に関連作動するよう連結されている、アクチュエータ機構と、
第２の内腔に連通するよう連結された接近ポート、
とを具備している生検鉗子。
【請求項４】  内側管状部材の運動が切断顎の固定枢軸ピン周りの半径方向運動を生じさせる請求項３に記載の生検鉗子。
【請求項５】  外側管状部材が巻かれたステンレス鋼チューブからなっている請求項３に記載の生検鉗子。
【請求項６】  内側管状部材が巻かれたステンレス鋼チューブからなる請求項３に記載の生検鉗子。
【請求項７】  アクチュエータ機構が内側管状部材に連結され、アクチュエータ機構の作動により内側管状部材の軸方向並進運動が生じ内側管状部材の軸線と整列された切断顎の開閉運動が生じるようにしている請求項３に記載の生検鉗子。
【請求項８】  生検鉗子がさらに第２の内腔と同軸に整列された穴を有するアクチュエータハウジングを具備し、アクチュエータハウジングが内側管状部材の末端部に連結され切断顎を作動するようになっている請求項３に記載の生検鉗子。
【請求項９】  内側管状部材の第２の内腔が第１の直径を有しまた光ファイバーの外径が第２の直径を有し、第１の直径が第２の直径より大きく流体で第２の内腔が洗い流されるようになっている請求項３に記載の生検鉗子。
【請求項１０】  生検鉗子がさらに電気的に接続された基端部に電気接続部を具備し電気外科の電流を介して鉗子の末端部の近くの組織を焼灼するようにしている請求項３に記載の生検鉗子。
【請求項１１】  生検鉗子であって、
貫通する第１の内腔を有する可撓性の外側管状部材であって、基端部から末端部まで延びかつ内視鏡の作動通路に挿入されるようになっている外側管状部材と、
外側管状部材の末端部の近くに取付けられ生検切断運動で選択的に開きまた閉じる切断顎であって、第１の内腔と同軸に整列された閉じた切断位置を有するよう取付けられている切断顎と、
貫通する第２の内腔を有する内側管状部材であって、外側管状部材の第１の内腔を通って延び切断顎を開閉する作用をする、内側管状部材と、
内側管状部材の第２の内腔の内部に取外し自在に配置された光ファイバーであて、基端部から末端部まで延びかつその基端部が電気光学的組織病理分析装置に接続されるようになっている、光ファイバーと、
外側管状部材と内側管状部材との基端部に連結されたハンドル部分、
とを具備し、
前記ハンドル部分が、
ハンドルと、
ハンドルと内側管状部材とに関連作動するよう連結された並進部材であって、ハンドルを動かすことにより内側管状部材が軸方向に動き切断顎を開閉するようになっている並進部材と、
第２の内腔に連通するよう連結された接近ポート、
とを具備している、生検鉗子。
【請求項１２】  鉗子がさらに、内側管状部材と切断顎とに関連作動するよう連結されたアクチュエータハウジングと、切断顎と外側管状部材とに連結された末端ハウジングとを具備している請求項１１に記載の生検鉗子。
【請求項１３】  アクチュエータハウジングがこれと一体の少なくとも２つのカムピンを有し、切断顎それぞれカム溝を有し、末端ハウジングがこれと一体の枢軸ピンを有し、アクチュエータハウジングのカムピンが切断顎のカム溝によって受入れられカムピンの運動により切断顎が枢軸ピン周りの半径方向運動を生じるようにしている請求項１２に記載の生検鉗子。
【請求項１４】  アクチュエータハウジングが切断顎とアクチュエータハウジングとに回転自在に連結された少なくとも第１のリンクと第２のリンクとを具備し、末端ハウジングがこれと一体の少なくとも１つの枢軸ピンを有し、切断顎が枢軸ピンの周りに回転するようになっている、請求項１２に記載の生検鉗子。
【請求項１５】  生検鉗子がさらに、内側管状部材の第２の内腔と連通するよう連結された少なくとも１つのルエル取付け具を具備している請求項１１に記載の生検鉗子。
【請求項１６】  各切断顎が生検標本を受入れるためのカップ部分を有し、少なくとも１つのカップが開口を有し、該開口が生検標本を切断顎のカップから取出すのを容易にするようにしている請求項１１に記載の生検鉗子。
【請求項１７】  内側管状部材が少なくとも２つの内腔を有し、光ファイバーが内腔の一方に配置されている請求項１１に記載の生検鉗子。
【請求項１８】  生検鉗子であって、
貫通する第１の内腔を有する可撓性の外側管状部材であって、基端部から末端部まで延びかつ内視鏡の作動通路に挿入するようになっている、外側管状部材と、
外側管状部材の末端部の近くに取付けられ生検切断運動で選択的に開きまた閉じ、第１の内腔と整列された閉じた切断位置を有し、枢軸ピンに回転自在に取付けられている、切断顎と、
貫通する第２の内腔を有する内側管状部材であって、外側管状部材の第１の内腔を通って延び、少なくとも１つの溝が配置されている、内側管状部材と、
内側管状部材の第２の内腔の内部に配置された光ファイバーであって、内側管状部材の少なくとも一部に取付けられ、基端部から末端部まで延びかつその基端部が電気光学的組織病理分析装置に接続するようになっている、光ファイバーと、
内側管状部材の溝の少なくとも１つに配置され基端部から末端部まで延びる少なくとも１つの制御ワイヤであって、制御ワイヤと内側管状部材とが切断顎に関連作動するよう連結され、制御ワイヤと内側管状部材との軸方向の運動により切断顎が固定枢軸ピンの周りに半径方向の運動をするようにしている、少なくとも１つの制御ワイヤと、
外側管状部材と内側管状部材との基端部に連結されたアクチュエータ機構であって、内側管状部材と関連作動するよう連結されている、アクチュエータ機構、
とを具備している生検鉗子。
【請求項１９】  内側管状部材が、それぞれが内側管状部材の外面に配置された２つの溝を有し、各溝には制御ワイヤが配置されている請求項１８に記載の生検鉗子。
【請求項２０】  内側管状部材が重合体のチューブで構成されている請求項１８に記載の生検鉗子。
【請求項２１】  生検鉗子がさらに、内側管状部材と切断顎とに関連作動するよう連結されたアクチュエータハウジングと、切断顎と外側管状部材とに連結された末端ハウジングとを具備している請求項１８に記載の生検鉗子。
【請求項２２】  アクチュエータハウジングがこれと一体の少なくとも２つのカムピンを有し、切断顎がそれぞれカム溝を有し、末端ハウジングがこれと一体の枢軸ピンを有し、アクチュエータハウジングのカムピンが切断顎のカム溝によって受入れられ、カムピンの運動により切断顎が枢軸ピンの周りに半径方向の運動をするようにしている請求項２１に記載の生検鉗子。